(57)【特許請求の範囲】
【請求項１】
走査線数６２５本５０フレーム方式の６２５Ｐテレビジョン信号であって、
画面アスペクトレシオやコピー世代管理情報などの著作権保護情報を、「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で、垂直帰線期間内の１乃至複数ラインの有効映像信号部分に重畳させ、
上記信号形態は、６２５Ｉテレビジョン信号におけるＷＳＳ信号の伝送データ信号部分のパルス周期を上記規格の１／２(クロック周波数Ｆｓ＝１０ＭＨｚ、周期Ｔｓ＝１００ｎｓ)にし、ラン−イン、スタートビット、データビットからなるデータ構造の信号部分を上記規格と同じ構成にし、
信号の立ち上がり時間、信号の振幅、変調方式は上記規格と共通としたことを特徴とするデータ変調方法。
【請求項２】
走査線数６２５本５０フレーム方式の６２５Ｐテレビジョン信号であって、
画面アスペクトレシオやコピー世代管理情報などの著作権保護情報を、「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で、垂直帰線期間内の１乃至複数ラインの有効映像信号部分に重畳させ、
上記信号形態は、６２５Ｉテレビジョン信号におけるＷＳＳ信号の伝送データ信号部分のパルス周期を上記規格の１／２(クロック周波数Ｆｓ＝１０ＭＨｚ、周期Ｔｓ＝１００ｎｓ)にし、ラン−イン、スタートビット、データビットからなるデータ構造の信号部分を上記規格と同じ構成にし、
信号の立ち上がり時間、信号の振幅、変調方式は上記規格と共通とした信号形態で、上記テレビジョン信号の垂直帰線期間内の１乃至複数ラインの有効映像信号部分に重畳された変調テレビジョン信号を処理するビデオ信号処理装置であって、
６２５Ｉ若しくは６２５Ｐテレビジョン信号の垂直帰線期間内の１乃至複数ラインの有効映像信号部分に重畳された信号形態を復調し、該復調した信号形態の中から著作権保護情報を取得する信号復調手段と、
上記テレビジョン信号を記憶する映像データ記憶手段と、
上記映像データ記憶手段から再生された信号が入力され６２５Ｐテレビジョン信号にエンコードされるエンコーダと、
上記信号復調手段により取得した著作権保護情報に含まれるコピー世代管理情報に基づいて新たなコピー世代管理情報を生成し、該新たなコピー世代管理情報を上記エンコーダの出力信号と混合する混合手段と、
を備えたことを特徴とするビデオ信号処理装置。
【発明の詳細な説明】
【０００１】
【発明の属する技術分野】
本発明は、データ変調方法及びビデオ信号処理装置に関し、詳しくは走査線数６２５本５０フレーム方式であって順次走査信号で形成される６２５Ｐテレビジョン信号に、画面アスペクトレシオやコピー世代管理情報などの著作権保護情報を重畳するデータ変調方法及びビデオ信号処理装置に関する。
【０００２】
【従来の技術】
従来技術における、ビデオ信号の垂直帰線期間を利用して、テレテキスト信号、クローズドキャプション信号等をＶＢＩＤ（Ｖｅｒｔｉｃａｌ  Ｂｌａｎｋｉｎｇ  Ｉｎｔｅｒｖａｌ  Ｄａｔａ）信号を利用して伝送する手法は周知である。
【０００３】
これらのデータ信号のフォーマットは、図１０に示すように、カラーバースト信号ＣＢに続いて、データをサンプリングするサンプリングクロック生成用のクロック基準信号ＣＲと、所定ビット数のデータＤＴとから構成されている。
【０００４】
又、図１１に示すように、カラーバースト信号ＣＢに続いて、データ内容を示すリファレンスパルスＲＰと、所定ビット数のデータＤＴとから構成されているものが周知である。
【０００５】
【発明が解決しようとする課題】
しかしながら、従来技術で説明したビデオ信号におけるフォーマットにＶＢＩＤ信号を利用して重畳させるとしても、走査線６２５本５０フレーム方式の順次走査信号を形成する６２５Ｐ（Ｐ；プログレッシブの略）テレビジョン信号の場合は、この信号自体が一般的でなかったし、６２５Ｐテレビジョン信号には画面アスペクトレシオやコピー世代管理情報などの著作権保護情報を伝送する具体的な手法及びその装置が存在しないという問題がある。
【０００６】
従って、６２５Ｐテレビジョン信号における画面アスペクトレシオやコピー世代管理情報などの著作権保護情報を重畳させる手法及び装置において、回路開発の容易化、６２５Ｉテレビジョン信号と６２５Ｐテレビジョン信号との共用受信機における回路共用の容易化、回路／ＩＣの小型化に解決しなければならない課題を有する。
【０００７】
【課題を解決するための手段】
上記課題を解決するために、本発明に係るデータ変調方法及びビデオ信号処理装置は次に示す構成にすることである。
【０００８】
（１）  走査線数６２５本５０フレーム方式の６２５Ｐテレビジョン信号であって、
画面アスペクトレシオやコピー世代管理情報などの著作権保護情報を、「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で、垂直帰線期間内の１乃至複数ラインの有効映像信号部分に重畳させ、
上記信号形態は、６２５Ｉテレビジョン信号におけるＷＳＳ信号の伝送データ信号部分のパルス周期を上記規格の１／２（クロック周波数Ｆｓ＝１０ＭＨｚ、周期Ｔｓ＝１００ｎｓ）にし、ラン−イン、スタートビット、データビットからなるデータ構造の信号部分を上記規格と同じ構成にし、
信号の立ち上がり時間、信号の振幅、変調方式は上記規格と共通としたことを特徴とするデータ変調方法。
【０００９】
【００１０】
【００１１】
【００１２】
【００１３】
（２）ビデオ信号処理装置は、 走査線数６２５本５０フレーム方式の６２５Ｐテレビジョン信号であって、
画面アスペクトレシオやコピー世代管理情報などの著作権保護情報を、「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で、垂直帰線期間内の１乃至複数ラインの有効映像信号部分に重畳させ、
上記信号形態は、６２５Ｉテレビジョン信号におけるＷＳＳ信号の伝送データ信号部分のパルス周期を上記規格の１／２（クロック周波数Ｆｓ＝１０ＭＨｚ、周期Ｔｓ＝１００ｎｓ）にし、ラン−イン、スタートビット、データビットからなるデータ構造の信号部分を上記規格と同じ構成にし、
信号の立ち上がり時間、信号の振幅、変調方式は上記規格と共通とした信号形態で、上記テレビジョン信号の垂直帰線期間内の１乃至複数ラインの有効映像信号部分に重畳された変調テレビジョン信号を処理するビデオ信号処理装置であって、
６２５Ｉ若しくは６２５Ｐテレビジョン信号の垂直帰線期間内の１乃至複数ラインの有効映像信号部分に重畳された信号形態を復調し、該復調した信号形態の中から著作権保護情報を取得する信号復調手段と、
上記テレビジョン信号を記憶する映像データ記憶手段と、
上記映像データ記憶手段から再生された信号が入力され６２５Ｐテレビジョン信号にエンコードされるエンコーダと、
上記信号復調手段により取得した著作権保護情報に含まれるコピー世代管理情報に基づいて新たなコピー世代管理情報を生成し、該新たなコピー世代管理情報を上記エンコーダの出力信号と混合する混合手段と、
を備えたことである。
【００１４】
【００１５】
このように、６２５Ｐテレビジョン信号に、「ＥＴＳＩ  ＥＮ３００２９４  Ｗｉｄｅ  Ｓｃｒｅｅｎ  Ｓｉｇｎａｌｌｉｎｇ（ＷＳＳ）」規格に準拠した構造のデータを配列するようにすると、６２５Ｉテレビジョン信号とパルス幅や、中身が同じなので６２５Ｉテレビジョン信号のＷＳＳ検出が殆どそのまま採用することができ、回路の開発や、６２５Ｉ／６２５Ｐ共用受信機において回路の共用化が図れ、回路／ＩＣの小型化が可能になる。
【００１６】
更に、画面アスペクトレシオやコピー世代管理情報などを伝送する信号が重畳され、画面のアスペクトレシオなどの自動設定や、違法コピーの防止を図ることが可能になる。
【００１７】
【発明の実施の形態】
次に、本発明に係るデータ変調方法及びビデオ信号処理装置の実施の形態について、図面を参照して説明する。
【００１８】
本願発明のデータ変調方法は、走査線数６２５本５０フレーム方式で順次走査信号を形成する６２５Ｐテレビジョン信号に、画面アスペクトレシオやコピー世代管理情報などの著作権保護情報を重畳させるようにしたものである。
【００１９】
この、著作権保護情報を重畳させる方式として、（１）「ＥＩＡＪ  ＣＰＲ−１２０４−１」規格に準拠した識別信号形態で垂直帰線期間内の１乃至複数ラインの有効映像信号部分に重畳させる方式と、（２）「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で垂直帰線期間内の１乃至複数ラインの有効映像信号部分に重畳させる方式の２通りがある。
【００２０】
（１）「ＥＩＡＪ  ＣＰＲ−１２０４−１」規格に準拠した識別信号形態で垂直帰線期間内の１乃至複数ラインの有効映像信号部分に重畳させる方式
【００２１】
著作権保護情報を６２５Ｐテレビジョン信号に重畳させる手法は、図１に示すように、輝度信号の垂直帰線期間内の４８ラインに「ＥＩＡＪ  ＣＰＲ−１２０４−１」規格に準拠した識別信号形態の信号を重畳させるものである。尚、実施例においては、４８ラインに重畳させるようにしたがこれに限定されることなく、他のライン、例えば４９、５０ラインでもよく、また、複数ラインでもよい。
【００２２】
この「ＥＩＡＪ  ＣＰＲ−１２０４−１」規格は、ＥＩＡＪ（日本電子機械工業会）において、コピー世代管理システム、即ち、デジタル記録方式を用いた機器において、情報の複製（コピー）に制限を加えるためのシステムとして、ＮＴＳＣ方式（５２５ライン／６０フィールド）における標準テレビジョン信号（以下、ＳＤ信号と称す）に関するビデオＩＤ信号について規定したものである。
【００２３】
ＳＤ信号に関するビデオＩＤ信号は、データが映像信号である旨を示す識別信号であって、図２に示すように、リファレンス信号と、２０ビットの制御データとから構成されている。
【００２４】
図３は、制御データのデータフォーマットを示したものであり、１ビット目及び２ビット目はＷＯＲＤ０であり、これはアスペクト情報に割り当てられる。
【００２５】
３ビット目から６ビット目までは、ＷＯＲＤ１であり、これはＷＯＲＤ２で伝送する情報を特定するためのフラグであり、コピー世代管理情報が送られる場合は、（０、０、０、０）となる。
【００２６】
７ビット目から１４ビット目まではＷＯＲＤ２であり、これは制御データの情報本体である。又、７ビット目及び８ビット目はコピー世代管理情報（以下、ＣＧＭＳと称す）を表し、コピー可能な世代、即ち、ＳＤ信号をコピー可能な回数を表すものである。
【００２７】
ＣＧＭＳの具体的な定義の一覧は、図４に示すように、（０、０）は制約条件なしにコピーが可能である旨を、（１、０）は一世代のみコピーが可能である旨を、（１、１）はコピー禁止である旨を示し、（０、１）はこれを使用しないものである。
【００２８】
又、１５ビット目から２０ビット目は、ＷＯＲＤ０からＷＯＲＤ２までの１４ビットの中にエラーが含まれているか否かを検出するためエラー検出用コード（以下、ＣＲＣＣと称す）である。
【００２９】
このような信号フォーマットを有する制御データは、図２に示すように、６２５Ｐテレビジョン信号の、水平走査周波数ｆｈ＝３１.２５ＫＨｚ、クロック周波数ｆｃ＝ｆｈ＊３３＝1.０３１２５ＭＨｚ、基本時定数Ｔ＝１／（ｆｈ＊３３）で変調され、識別信号形態であるビデオＩＤ信号が生成される。
【００３０】
識別信号形態のビデオＩＤ信号は、白ピークレベルの７０パーセントのレファレンス信号Ｒｅｆと振幅７０パーセント又は０パーセントで表される上記示した制御データの２０ビットのデジタル信号を配した構成となっている。
【００３１】
このように「ＥＩＡＪ  ＣＰＲ−１２０４−１」規格に準拠した構造にすると、ＮＴＳＣ系の５２５Ｐテレビジョン信号の信号形態と同じくなるため、信号発生回路、信号検出回路のクロック周波数ｆｃを交換するだけですむことになり、回路の開発、ＮＴＳＣ／ＰＡＬのデュアル受像機における回路の共用化を図れ、回路／ＩＣの小型化を図ることができるのである。
【００３２】
（２）「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で垂直帰線期間内の１乃至複数ラインの有効映像信号部分に重畳させる方式
【００３３】
この方式は、上記の（１）と同じく、走査線数６２５本５０フレーム方式の順次走査信号を形成する６２５Ｐテレビジョン信号であって、画面アスペクトレシオやコピー世代管理情報などの著作権保護情報を、「ＥＴＳＩ  ＥＮ３００２９４：Ｗｉｄｅ  Ｓｃｒｅｅｎ  Ｓｉｇｎａｌｌｉｎｇ（ＷＳＳ）」規格に準拠した信号形態で輝度信号の垂直ブランキング期間内の１乃至複数ラインの有効映像信号部分に重畳させるようにしたことである。
【００３４】
ここで、「ＥＴＳＩ  ＥＮ３００２９４：Ｗｉｄｅ  Ｓｃｒｅｅｎ  Ｓｉｇｎａｌｌｉｎｇ（ＷＳＳ）」のＷＳＳ（Ｗｉｄｅ  Ｓｃｒｅｅｎ  Ｓｉｇｎａｌｌｉｎｇ）信号の波形は、図５に示すように、データ伝送レートは８３３ＫＨｚ（５ＭＨｚ／６）であり、バイフェーズ変調されている。データの他にラン−インとスタートビットがある。
【００３５】
このＷＳＳ信号を構成するデータは１４ビットからなり、主画面のアスペクトレシオと字幕情報、サラウンド情報、著作権情報を伝送する構成となっている。
【００３６】
図６は、ＰＡＬ系の６２５Ｉテレビジョン信号におけるＷＳＳ信号の波形を示したものであり、伝送データの信号形態は有効画面エリアのほぼ半分となっている。このことを利用して、この伝送データをそのまま６２５Ｐテレビジョン信号に適応させる。
即ち、伝送データ信号のラン−イン、スタートビット、データビット（１４ビット）の部分は図５に示す規格と同じくし、クロック周波数がＦｓ＝５ＭＨｚ、周期Ｔｓ＝２００ｎｓで信号の立ち上がり時間、信号の振幅、変調方式、プリアンブル、データの構造及び内容、パリティも上記規格と共通とする。
【００３７】
図７は、図６に示す６２５Ｉテレビジョン信号の垂直帰線区間の信号形態を、６２５Ｐテレビジョン信号に当てはめた信号形態の一例を示したものであり、６２５Ｉテレビジョン信号のデータ部と完全互換性を得るためにデータ部分ＤＴの構造を変えないで、６２５Ｐテレビジョン信号の水平走査時間に収まるタイミングに配置してある。
【００３８】
図８は、「ＥＴＳＩ  ＥＮ３００２９４  Ｗｉｄｅ  Ｓｃｒｅｅｎ  Ｓｉｇｎａｌｌｉｎｇ（ＷＳＳ）の信号部分の信号形態に対してパルス周期などを１／２にした信号を予め決められた走査線に重畳させる変形例である。信号のラン−イン、スタートビット、データビット（１４ビット）の部分は上記の規格と同じくし、クロック周波数がＦｓ＝１０ＭＨｚ、周期Ｔｓ＝１００ｎｓの立ち上がり時間、信号の振幅、変調方式は上記規格と共通とする。
【００３９】
このように、ＷＳＳ信号と同一データ配列を選択すると、６２５Ｉテレビジョン信号とパルス幅が１／２に変わるだけで、中身が同じであるので、６２５Ｉテレビジョン信号のＷＳＳ検出回路構成を相似系で変更すると、回路の開発や、６２５Ｉ／６２５Ｐ共用受信機において回路の共用化が比較的簡単に図れ、回路／ＩＣの小型化ができる。
【００４０】
次に、６２５Ｐテレビジョン信号に関する、コピー世代管理情報などを含む制御データを処理するビデオ信号処理装置について、図面を参照して説明する。
【００４１】
ビデオ信号処理装置は、図９に示すように、６２５Ｉテレビジョン信号又は６２５Ｐテレビジョン信号からなるビデオ信号の垂直帰線期間内の１乃至複数ラインの有効映像信号部分に重畳されたビデオＶＢＩＤ信号を復調するＶＢＩＤ復調器１と、ＶＢＩＤ復調器１で復調したビデオ信号のコピー世代情報を入力するマイクロコンピュータ２と、ビデオ信号及び復調されたコピー世代管理情報を記憶する映像データ記憶装置３と、映像データ記憶装置３に記憶されているビデオ信号から６２５Ｐのビデオ信号にエンコードする６２５Ｐエンコーダ４と、入力したコピー世代信号を１度記憶再生した状態に変化させたコピー世代管理情報を発生させるＶＢＩＤ発生器６と、６２５Ｐエンコーダでエンコードされた出力信号とＶＢＩＤ発生器で発生したコピー世代管理情報とを混合する混合器ＭＩＸ６とから構成されている。
【００４２】
このような構成において、先ずビデオ信号（６２５Ｉ／６２５Ｐ）の垂直帰線期間内の１乃至複数ラインの有効画像信号部分に重畳されたビデオＶＢＩＤ信号をＶＢＩＤ復調器１で復調して、入力ビデオ信号のコピー世代をマイクロコンピュータ２に入力する。
【００４３】
一方のビデオ信号は、映像データ記憶装置３に入力され記憶される。このとき、入力されたビデオ信号のコピー世代管理情報も一緒に記憶される。
【００４４】
再生動作は、映像データ記憶装置３から再生された信号が６２５Ｐエンコーダ４に入り、６２５Ｐのビデオ信号にエンコードされる。
【００４５】
このとき、入力されたときのコピー世代信号を１度記憶再生したという状態に変化させコピー世代管理情報をＶＢＩＤ発生器６で発生させて、６２５Ｐエンコーダの出力信号と混合器ＭＩＸ５で混合され、コピー世代管理信号が付加された６２５Ｐビデオ信号が出力される。
【００４６】
このようにして、６２５Ｐテレビジョン信号の垂直帰線期間に、著作権保護情報を重畳させることができると共に、ビデオ信号を再生するとコピー世代管理情報も変化させることができるため、違法コピーの防止等ができるのである。
【００４７】
【発明の効果】
【００４８】
以上説明したように、本発明に係るデータ変調方法は、６２５Ｐテレビジョン信号に、「ＥＴＳＩ  ＥＮ３００２９４  Ｗｉｄｅ  Ｓｃｒｅｅｎ  Ｓｉｇｎａｌｌｉｎｇ（ＷＳＳ）」規格に準拠した構造のデータを配列するようにすると、６２５Ｉテレビジョン信号とパルス幅や、中身が同じなので６２５Ｉテレビジョン信号のＷＳＳ検出が殆どそのまま採用することができ、回路の開発や、６２５Ｉ／６２５Ｐ共用受信機において回路の共用化が図れ、回路／ＩＣの小型化を図ることができるという効果がある。
【００４９】
更に、ビデオ信号処理装置においては、コピー世代情報を管理することができるため、画面のアスペクトレシオなどの自動設定や、違法コピーの防止を図ることが出来るという効果がある。
【図面の簡単な説明】
【図１】  本発明に係る６２５Ｐテレビジョン信号における垂直帰線期間を示した説明図である。
【図２】  同識別信号の波形を示した説明図である。
【図３】  同制御データを示した説明図である。
【図４】  同ＣＧＭＳの内容を示したものである。
【図５】  同ＷＷＳ信号の構成を示した説明図である。
【図６】  同６２５ＩにおけるＷＳＳ信号の垂直帰線期間の波形を示した説明図である。
【図７】  同６２５ＰにおけるＷＳＳ信号の垂直帰線期間の波形を示した説明図である。
【図８】  同６２５ＰにおけるＷＳＳ信号の垂直帰線期間の波形を示した説明図である。
【図９】  同ビデオ処理装置を示す略示的なブロック図である。
【図１０】  ＶＢＩＤ信号の波形の例を示したものである。
【図１１】    ＶＢＩＤ信号の波形の例を示したものである。
【符号の説明】
１；ＶＢＩＤ復調器、２；マイクロコンピュータ、３；映像データ記憶装置、４；６２５Ｐエンコーダ、５；混合器ＭＩＸ、６；ＶＢＩＤ発生器。
【図１】
0004251788.tif 000002
【図２】
0004251788.tif 000003
【図３】
0004251788.tif 000004
【図４】
0004251788.tif 000005
【図５】
0004251788.tif 000006
【図６】
0004251788.tif 000007
【図７】
0004251788.tif 000008
【図８】
0004251788.tif 000009
【図９】
0004251788.tif 000010
【図１０】
0004251788.tif 000011
【図１１】
0004251788.tif 000012